(57)【要約】【課題】  正当にコインを投入しないで不当に利益を得るような不正を防止する。【解決手段】  コイン投入口３の直下にこのコイン投入口３を開閉するシャッタ部材２０が設けられ、コイン投入口３に投入されたコインＣによってシャッタ部２３がコイン投入口３を開放する。コインＣがコイン投入口３に投入されるとシャッタ部材２０の遮光部２５がセンサホルダ３０に進出し、センサホルダ３０内のシャッタセンサがコインの投入を検出する。このシャッタセンサによる検出時間が予め設定された時間以上になると異常であると判断する制御装置が設けられている。【選択図】  図３
2006190024.tif 000002
【特許請求の範囲】
【請求項１】
コインが投入されるコイン投入口と、このコイン投入口から投入されたコインを径方向に転動させるコイン転動通路と、このコイン転動通路中に転動するコインを選別するコイン選別部と、このコイン選別部を通過した正規コインを検出するコインセンサとを備えたコイン処理装置において、前記コイン投入口の直下でコイン投入口を開閉し投入されたコインによって開くように揺動自在に支持されたシャッタ部材と、このシャッタ部材が開いたことを検出するシャッタセンサと、このシャッタセンサによる検出時間が予め設定された時間以上になると異常であると判断する制御装置とを設けたことを特徴とするコイン処理装置。
【発明の詳細な説明】
【技術分野】
【０００１】
本発明は、スロットマシンや弾球遊技機等の遊技機あるいは自動販売機のようにコイン（硬貨に限らず、メダル、トークン等の遊技媒体を含む）を使用する機器に付設されるコイン処理装置に関するものである。
【背景技術】
【０００２】
この種のコイン処理装置においては、コインを棒等の先端に取り付け、一旦投入されたコインを引き抜く等の不正が発生しており、これを防止する対策を施した構造が採用されている。すなわち、コイン投入口から投入されコイン選別部を通過した正規コインを検出するコイン受付信号出力センサとコイン逆流チェック用センサとを備え、これら両センサをコイン転動通路中の上流と下流とに位置付け、下流に設けたコイン逆流チェック用センサによって棒によるコインの引き抜き等の不正を検出するものがある（例えば、特許文献１および特許文献２参照）。なお、本出願人は、本明細書に記載した先行技術文献情報で特定される先行技術文献以外には、本発明に密接に関連する先行技術文献を出願時までに見付け出すことはできなかった。
【特許文献１】特開平５−８１５５５号公報（段落「００１５」および「００１６」、図１および図４）
【特許文献２】特開２００４−１６６８０６号公報（段落「００２５」および「００３８」〜「００４０」、図５および図６）
【発明の開示】
【発明が解決しようとする課題】
【０００３】
上述した従来のコイン処理装置においては、コイン受付信号出力センサとコイン逆流チェック用センサを誤認識させることにより、正当にコインを投入しないで不当に利益を得るような不正を完全には防止できないという問題があった。すなわち、ＬＥＤを埋設した透明なプラスチック板を棒の先端に取り付け、プラスチック板をコイン受付信号出力センサとコイン逆流チェック用センサとに位置付ける。この状態でＬＥＤを発光させることにより、両センサではコインが恰も通過したと誤認識してしまうため、不正が行われてしまうというものである。
【０００４】
本発明は上記した従来の問題に鑑みなされたものであり、その目的とするところは、正当にコインを投入しないで不当に利益を得るような不正を防止することにある。
【課題を解決するための手段】
【０００５】
この目的を達成するために、請求項１に係る発明は、コインが投入されるコイン投入口と、このコイン投入口から投入されたコインを径方向に転動させるコイン転動通路と、このコイン転動通路中に転動するコインを選別するコイン選別部と、このコイン選別部を通過した正規コインを検出するコインセンサとを備えたコイン処理装置において、前記コイン投入口の直下でコイン投入口を開閉し投入されたコインによって開くように揺動自在に支持されたシャッタ部材と、このシャッタ部材が開いたことを検出するシャッタセンサと、このシャッタセンサによる検出時間が予め設定された時間以上になると異常であると判断する制御装置とを設けたものである。
【発明の効果】
【０００６】
本発明によれば、棒状体を使用してコインセンサに対してコインが通過したと誤認識させようとする不正を行おうとすると、棒状体によってシャッタ部材が開いた状態のままになるため、この状態がシャッタセンサによって検出される。したがって、棒状体によって不正をなし得る時間よりも、予め設定時間を短く設定しておくことにより、棒状体による不正を終了させる以前に異常を検出することができるため、正当にコインを投入しないで不当に利益を得るような不正を防止できる。
【発明を実施するための最良の形態】
【０００７】
以下、本発明の実施の形態を図に基づいて説明する。図１は本発明に係るコイン処理装置の正面図、図２（Ａ）はコインが投入される直前の状態を示す図１におけるII（Ａ）-II（Ａ） 線断面図、同図（Ｂ）は同図（Ａ）におけるII（Ｂ）矢視図、図３（Ａ）は図２（Ｂ）におけるIII（Ａ）矢視図、図３（Ｂ）はコインが投入された状態を示す図１におけるII（Ａ）-II（Ａ） 線断面図、図４は同じくコイン処理装置の構成を示すブロック図である。
【０００８】
図１で全体を符号１で示すコイン処理装置は、略正方形に形成された基板２を備えており、この基板２の左側上端にはコイン投入口３が設けられている。このコイン投入口３の横幅Ｌは、正規コインＣ１の直径よりもわずかに大きく形成されており、このコイン投入口３に正規コインＣ１よりも直径が大きく形成された疑似コインは投入できないように構成され、このコイン投入口３が大径疑似コインの外径を選別する選別部として機能する。４は基板２に設けられコイン投入口３から投入されたコインＣが径方向に転動するコイン転動通路であって、コイン投入口３の直下に設けられた垂直通路５と、この垂直通路５から図中右下がりに傾斜した傾斜通路６とによって構成されており、傾斜通路６を通過した正規コインＣ１はコイン収納部７に収納される。
【０００９】
８はレール部材であって、基板２に軸９を介して紙面の表裏方向へ揺動自在に支持されており、図示を省略したソレノイドを駆動源として紙面の表裏方向へ揺動され、表面方向へ揺動させることにより上端に形成したレール部１０が傾斜通路６に進出し、傾斜通路６を転動するコインＣを支承するコイン軌道を構成している。一方、レール部材８をソレノイドによって裏面側に揺動させることによりレール部１０が傾斜通路６から退避し、傾斜通路６を転動してきたコインＣが傾斜通路６から落下し、コイン返却部１１に返却されるように構成されている。
【００１０】
１３は従来から広く知られているコインの外径を選別するコイン選別部であって、正規コインＣ１はこのコイン選別部１３を通過してコイン収納部７へ収納され、正規コインよりも小径の疑似コインＣ２はコイン選別部１３からコイン返却部１１に返却される。
【００１１】
傾斜通路６の終端側には、コインの転動方向上流側から３つのコインセンサ１４，１５，１６が設けられており、このうち２つのコインセンサ１４，１６は傾斜通路６の上部側に設けられ、コインセンサ１５は傾斜通路６の下部側に設けられている。傾斜通路６を転動してきた正規コインＣ１が、これらコインセンサ１４、コインセンサ１５、コインセンサ１６の順序で検出されることにより、後述する制御装置３６では、正常な状態と判断する。一方、コインセンサ１４、コインセンサ１５、コインセンサ１６の順序で検出されなかった場合は、制御装置３６では何らかの不正が行われている異常な状態と判断する。
【００１２】
図２（Ａ）において、１７は基板２の表面側を覆う表面カバーであって、この表面カバー１７には、垂直通路５と傾斜通路６の一部を覆うフラッパ１８が設けられており、基板２の裏面側は裏面側カバー１９によって覆われている。符号２０で示すものはシャッタ部材であって、互いに対向する一対の側板２１，２１と、これら側板２１，２１を連結する連結板２２とによって一体に折曲形成されている。連結板２２の上端部は直角に折り曲げられてシャッタ部２３が形成され、連結板２２の下端の中央部は下方に延設されて舌片部２４が形成され、この舌片部２４の一方の側部が直角に折り曲げられてシャッタ部２３と反対方向に突設する遮光部２５が形成されている。
【００１３】
このように形成されたシャッタ部材２０は、両側部２１，２１が基板２に互いに対向するように突設された支持片２６，２６間に横架された軸２７に回動自在に支持されており、自重によってシャッタ部２３が基板２に設けた窓２ａから垂直通路５内に進出し、コイン投入口３の直下においてこのコイン投入口３を閉じる方向に回動習性が付与されている。一方、コイン投入口３からコインＣが投入されると、図３（Ｂ）に示すように、コインＣの自重によってシャッタ部材２０のシャッタ部２３が下方に押圧されることにより、シャッタ部材２０が軸２７を中心として図中時計方向に回動し、シャッタ部２３が垂直通路５から退避してコイン投入口３が開放される。
【００１４】
３０はセンサホルダであって、下部側が二股状に分岐され互いに対向する一対のホルダ部３１，３１が設けられており、これらホルダ部３１，３１内のそれぞれには、シャッタセンサ３３としての発光素子と受光素子（図示せず）が収容されている。このセンサホルダ３０は、ホルダ部３１，３１間が上記したシャッタ部材２０の遮光部２５に対向するように裏面側カバー１９に取り付けられている。したがって、コイン投入口３からコインＣが投入され、上述したようにシャッタ部材２０が回動すると、シャッタ部材２０の遮光部２５が、図３（Ｂ）に示すようにセンサホルダ３０のホルダ部３１，３１間に進出し、発光素子と受光素子との間を遮断することにより、シャッタセンサ３３によりコインＣの投入が検出される。
【００１５】
図４において、３５はシャッタセンサ３３の検出によって計時を開始するタイマーであって、シャッタセンサ３３による検出時間を計時する。３６は棒状体によって不正をなし得る時間よりも短い時間Ｔが設定される制御装置であって、この制御装置３６においては、タイマー３５によって計時されたシャッタセンサ３３による検出時間Ｔ１と予め設定された時間Ｔと比較し、Ｔ１＞Ｔでなければ不正行為が行われていない正常な状態と判断する。一方、制御装置３６においては、Ｔ１＞Ｔであれば不正行為が行われていると判断し、報知手段３７として、このコイン処理装置が付設される遊技機の表示部（いずれも図示せず）に異常表示がされるように制御する。なお、時間Ｔの設定に当たっては、コイン投入口３に所定枚数（ｎ枚）までの複数枚のコインＣが連続して投入された場合、これを不正行為と判断しないように設定される。すなわち、１枚のコインＣの投入によるシャッタセンサ３３の検出時間をｔとすると、ｎｔ＜Ｔに設定されている。
【００１６】
次に、このように構成されたコイン処理装置１において、コインの処理動作および不正が行われたときの検出について説明する。先ず、正規コインＣ１が１枚または所定枚数（ｎ枚）まで連続して投入された場合の処理動作を説明する。正規コインＣ１が１枚または所定枚数（ｎ枚）まで連続してコイン投入口３から投入されると、この投入された正規コインＣ１によってシャッタ部材２０が図３（Ｂ）に示すように、軸２７を中心として時計方向に回動し、コイン投入口３が開放される。同時に、シャッタ部材２０の遮光部２５がセンサホルダ３０のホルダ部３１，３１との間に進出するため、図５におけるＳ２においてシャッタセンサ３３によって正規コインＣ１が検出される。シャッタセンサ３３によって正規コインＣ１が検出されると、タイマー３５がシャッタセンサの検出時間Ｔ１の計時を開始する。
【００１７】
１枚の正規コインＣ１または所定枚数（ｎ枚）まで連続して投入された正規コインＣ１がコイン投入口３を通過し終わるシャッタ部材２０が復帰し、シャッタ部２３によってコイン投入口３が閉じられる。同時に、遮光部２５がセンサホルダ３０のホルダ部３１，３１との間から退避するので、センサシャッタ３３による正規コインＣ１の検出が終了し、タイマー３５による検出時間Ｔ１の計時も終了する。タイマー３５によるシャッタセンサ３３の検出時間Ｔ１と、予め設定された時間Ｔとを制御装置３６において比較することによりＴ１＜Ｔなので、制御装置３６においては不正行為は行われていない正常と判断する。したがって、コイン投入口３から投入された正規コインＣ１は、転動通路４を転動するときにコイン選別部１２ａを通過し、順次３つのコインセンサ１４、コインセンサ１５、コインセンサ１６によって検出されるため、制御装置３６では不正は行われてなく正常と判断するので、正規コインＣ１はコイン転動通路４の終端からコイン収納部７に収納される。
【００１８】
次に、棒状体の先端にコインセンサ１４，１５，１６を誤検出させる部材を取り付けて不正する場合について説明する。図示を省略した棒状体がコイン投入口３から投入されると、この投入された棒状体によってコイン投入口３が開放されると同時に、この棒状体がシャッタセンサ３３によって検出されることにより、タイマー３５がシャッタセンサ３３の検出時間Ｔ１の計時を開始する。
【００１９】
この後、棒状体によって不正行為を行おうとすると、制御装置３に予め設定されている時間Ｔが棒状体によって不正をなし得る時間よりも短い時間に設定されているため、不正行為が終了する以前に設定時間Ｔが超過する。すなわち、シャッタセンサ３３による検出時間Ｔ１がＴよりも大きくなるから、制御装置３６においては異常と判断し、このコイン処理装置１が付設された遊技機の表示部に異常表示がされる。このように、棒状体による不正行為を規制することができるから、仮に、ＬＥＤを埋設した透明なプラスチック板を棒の先端に取り付け、プラスチック板をコインセンサ１４，１５，１６に位置付けてＬＥＤを発光させることにより、コインセンサ１４，１５，１６が恰も正規コインＣ１が通過したと誤認識してしまうことによる不正を防止することができる。
【００２０】
報知手段３７としては、警告用の表示ランプや警告用のブザー等種々の設計変更が可能である。
【図面の簡単な説明】
【００２１】
【図１】本発明に係るコイン処理装置の正面図である。
【図２】同図（Ａ）はコインが投入される直前の状態を示す図１におけるII（Ａ）-II（Ａ） 線断面図、同図（Ｂ）は同図（Ａ）におけるII（Ｂ）矢視図である。
【図３】同図（Ａ）は図２（Ｂ）におけるIII（Ａ）矢視図、図３（Ｂ）はコインが投入された状態を示す図１におけるII（Ａ）-II（Ａ） 線断面図である。
【図４】本発明に係るコイン処理装置の構成を示すブロック図である。
【符号の説明】
【００２２】
１…コイン処理装置、３…コイン投入口、４…コイン転動通路、７…コイン収納部、８…レール部材、１１…コイン返却部、１３…コイン選別部、１４，１５，１６…コインセンサ、２０…シャッタ部材、２３…シャッタ部、２５…遮光部、３０…センサホルダ、３１…ホルダ部、３３…シャッタセンサ、３５…タイマー、３６…制御装置、３７…報知手段、Ｃ…コイン、Ｃ１…正規コイン、Ｃ２…小径疑似コイン。
【図１】
2006190024.tif 000003
【図２】
2006190024.tif 000004
【図３】
2006190024.tif 000005
【図４】
2006190024.tif 000006